(57)【要約】【課題】小型化できるプロジェクターを提供すること。【解決手段】プロジェクター１は、外装を構成し、開口部２３１を有する外装筐体２と、外装筐体２内に配置され、開口部２３１を介して画像を投射する投射レンズと、開口部２３１を開閉するレンズシャッター５と、を備え、レンズシャッター５は、投射レンズの外周に沿う第１方向及び前記第１方向とは反対方向である第２方向に移動可能に設けられる移動部材（レバー５０）と、開口部２３１に応じてそれぞれ設けられ、移動部材（レバー５０）の移動に伴って、一方が第１方向に移動し、他方が第２方向に移動して、開口部を開閉する一対の羽根部材（左羽根部材５Ｌ及び右羽根部材５Ｒ）と、を有する。【選択図】図４
2016133754.tif 000002
【特許請求の範囲】
【請求項１】
外装を構成し、開口部を有する外装筐体と、
前記外装筐体内に配置され、前記開口部を介して画像を投射する投射レンズと、
前記開口部を開閉するシャッターと、を備え、
前記シャッターは、
前記投射レンズの外周に沿う第１方向及び前記第１方向とは反対方向である第２方向に移動可能に設けられる移動部材と、
前記開口部に応じてそれぞれ設けられ、前記移動部材の移動に伴って、一方が前記第１方向に移動し、他方が前記第２方向に移動して、前記開口部を開閉する一対の羽根部材と、を有することを特徴とするプロジェクター。
【請求項２】
請求項１に記載のプロジェクターにおいて、
前記投射レンズは、前記投射方向側の端縁が前記投射方向側に膨出した形状を有し、
前記一対の羽根部材の少なくともいずれかは、前記投射レンズの膨出部分に沿う形状を有することを特徴とするプロジェクター。
【請求項３】
請求項１又は請求項２に記載のプロジェクターにおいて、
前記一対の羽根部材は、少なくとも一部が重なって配置される複数の羽根をそれぞれ有し、
前記開口部を開放した状態の前記複数の羽根のそれぞれの重なり範囲は、前記開口部を閉塞した状態の前記複数の羽根のそれぞれの重なり範囲よりも大きいことを特徴とするプロジェクター。
【請求項４】
請求項３に記載のプロジェクターにおいて、
前記複数の羽根は、
第１羽根と、
前記第１羽根に対して前記投射レンズ側に配置される第２羽根と、を含み、
前記一対の羽根部材のうち一方の羽根部材が有する前記第１羽根は、前記移動部材に接続され、
それぞれの前記第１羽根は、
前記開口部を開放する開放方向に前記第１羽根が移動された際に前記第２羽根に当接して、前記第２羽根を前記開放方向に移動させる第１当接部と、
前記開口部を閉塞する閉塞方向に前記第１羽根が移動された際に前記第２羽根に当接して、前記第２羽根を前記閉塞方向に移動させる第２当接部と、を有することを特徴とするプロジェクター。
【請求項５】
請求項４に記載のプロジェクターにおいて、
それぞれの前記第１羽根は、互いに噛合する歯車部を有し、
それぞれの前記第２羽根は、前記歯車部の回転軸と同軸で保持されることを特徴とするプロジェクター。
【請求項６】
請求項１から請求項５のいずれか一項に記載のプロジェクターにおいて、
前記投射レンズは、前記投射方向側から見て円の一端側が切り欠かれた形状を有し、
前記一対の羽根部材のそれぞれにおける少なくとも一部は、前記投射レンズによる画像の投射方向側から見て前記一端側の位置に収納されて、前記開口部を開放することを特徴とするプロジェクター。
【発明の詳細な説明】
【技術分野】
【０００１】
本発明は、プロジェクターに関する。
【背景技術】
【０００２】
従来、光源装置と、当該光源装置から出射された光を変調して画像情報に応じた画像を形成する光変調装置と、当該画像をスクリーン等の被投射面上に拡大投射する投射光学装置とを備えたプロジェクターが知られている。このようなプロジェクターとして、外部に露出する投射光学装置を保護するシャッターを備えたプロジェクターが知られている（例えば、特許文献１参照）。
【０００３】
この特許文献１に記載のプロジェクターは、投射光学装置（投射レンズ）等を内部に収納する外装筐体を備え、当該外装筐体は、投射光学装置を露出させる開口部と、当該開口部を開閉する板状のシャッターとを備える。このシャッターは、外装筐体において当該開口部が形成された面に沿って移動可能に構成されている。このシャッターが一方に移動されると開口部が開放されて投射光学装置が露出され、これにより、画像を被投射面上に投射可能な状態となる。また、シャッターが他方に移動されると、開口部が閉塞され、これにより、投射光学装置を保護できる。
【先行技術文献】
【特許文献】
【０００４】
【特許文献１】特開２０１０−２６２１２４号公報
【発明の概要】
【発明が解決しようとする課題】
【０００５】
ところで、特許文献１に記載のプロジェクターでは、板状のシャッターは、開口部が形成された面に沿って移動可能に構成されている。このため、開口部より大きな板状のシャッターを退避させるスペースを外装筐体に設ける必要があり、プロジェクターの小型化を図りづらい。
また、外装筐体において上記開口部が形成された面には、例えば、排気口やリモコンからの信号を受信する受信部が設けられる場合がある。この場合、上記スペースを確保すると、当該排気口及び受信部の配置位置に制約が加わって、プロジェクターを小型化しづらいという問題がある。
特に、短焦点型のプロジェクターでは、画像の投射方向側に膨出した形状を有する投射レンズが採用される場合がある。このような投射レンズの形状に合わせた１つのシャッターを移動させる構成では、当該シャッターを退避するスペースをより大きくする必要があり、プロジェクターの小型化が図りづらいという問題が顕著となる。
【０００６】
本発明は、上記課題の少なくとも一部を解決することを目的としたものであり、小型化できるプロジェクターを提供することを目的の１つとする。
【課題を解決するための手段】
【０００７】
本発明の一態様に係るプロジェクターは、外装を構成し、開口部を有する外装筐体と、前記外装筐体内に配置され、前記開口部を介して画像を投射する投射レンズと、前記開口部を開閉するシャッターと、を備え、前記シャッターは、前記投射レンズの外周に沿う第１方向及び前記第１方向とは反対方向である第２方向に移動可能に設けられる移動部材と、前記開口部に応じてそれぞれ設けられ、前記移動部材の移動に伴って、一方が前記第１方向に移動し、他方が前記第２方向に移動して、前記開口部を開閉する一対の羽根部材と、を有することを特徴とする。
【０００８】
なお、移動部材としては、シャッターを移動させ開口部を開閉させる際に、操作者によって操作されるレバーを例示できる。
以下、上記第１方向及び上記第２方向のうち、開口部を開放する方向を開放方向とし、開口部を閉塞する方向を閉塞する方向とする。
上記一態様によれば、開放方向に移動部材が移動されると、一対の羽根部材のうちの一方の羽根部材は当該移動部材と同方向に移動され、他方の羽根部材は当該一方の羽根部材の移動方向とは反対方向に移動される。これにより、開口部が開放される。また、閉塞方向に移動部材が移動されると、一対の羽根部材のうちの一方の羽根部材は当該移動部材と同方向に移動され、他方の羽根部材が当該一方の羽根部材の移動方向とは反対方向に移動される。このように開口部が開放される際に、一対の羽根部材のそれぞれは、互いに反対方向に移動されて、開口部の外側に収納されるので、各羽根部材が収納されるスペースを分散できる。
これによれば、各羽根部材が収納されるスペースを、上記特許文献１に記載のシャッターが収納されるスペースより小さくすることができる他、外装筐体において当該スペースを比較的容易に確保できる。
また、各羽根部材が互いに反対方向に移動することにより、１つのシャッターが開口部を開閉する場合の移動距離に比べて、各羽根部材の移動距離、ひいては、移動部材の移動距離（ストローク）を短縮できる。
従って、各羽根部材の収納スペースを小さくすることができる他、各羽根部材及び移動部材の移動スペースを小さくすることができるので、外装筐体を小型化でき、ひいては、プロジェクターを小型化できる。
【０００９】
上記一態様では、前記投射レンズは、前記投射方向側の端縁が前記投射方向側に膨出した形状を有し、前記一対の羽根部材の少なくともいずれかは、前記投射レンズの膨出部分に沿う形状を有することが好ましい。
上記一態様によれば、一対の羽根部材が投射レンズの膨出部分に沿う形状（例えば円弧状）に形成され、これら羽根部材は、上記外周方向に沿って移動する。これによれば、上記板状のシャッターが用いられる場合に比べて、投射レンズにおける投射方向側の面と各羽根部材との距離を短縮できる。従って、これら投射レンズ及びシャッターを収納する外装筐体（特に投射レンズ近傍の外装筐体）を小さくできる。
【００１０】
上記一態様では、前記一対の羽根部材は、少なくとも一部が重なって配置される複数の羽根をそれぞれ有し、前記開口部を開放した状態の前記複数の羽根のそれぞれの重なり範囲は、前記開口部を閉塞した状態の前記複数の羽根のそれぞれの重なり範囲よりも大きいことが好ましい。
なお、上記複数の羽根としては、２枚の羽根の他、３枚以上の羽根を例示できる。
上記一態様によれば、一対の羽根部材のそれぞれを構成する複数の羽根は、上記開口部を開放する際に、当該開口部を閉塞する場合に互いに重なる範囲より大きな範囲にて重なって収納されることとなる。これによれば、外装筐体において上記複数の羽根が収納されるスペースを小さくできる。従って、プロジェクターを小型化できる。
【００１１】
上記一態様では、前記複数の羽根は、第１羽根と、前記第１羽根に対して前記投射レンズ側に配置される第２羽根と、を含み、前記一対の羽根部材のうち一方の羽根部材が有する前記第１羽根は、前記移動部材に接続され、それぞれの前記第１羽根は、前記開口部を開放する開放方向に前記第１羽根が移動された際に前記第２羽根に当接して、前記第２羽根を前記開放方向に移動させる第１当接部と、前記開口部を閉塞する閉塞方向に前記第１羽根が移動された際に前記第２羽根に当接して、前記第２羽根を前記閉塞方向に移動させる第２当接部と、を有することが好ましい。
【００１２】
上記一態様によれば、上記第１方向及び第２方向のうち、開口部を開放させる方向に移動部材が移動されると、当該移動部材と接続される第１羽根の第１当接部が第２羽根に当接して、当該第１羽根の移動方向に第２羽根を移動させるので、第１羽根の開放方向への移動に伴って第２羽根を同方向に確実に移動させることができる。
また、上記第１方向及び第２方向のうち、開口部を閉塞する方向に移動部材が移動されると、当該移動部材と接続される第１羽根の第２当接部が第２羽根に当接して、当該第１羽根の移動方向に第２羽根を移動させるので、第１羽根の閉塞方向への移動に伴って第２羽根を同方向に確実に移動させることができる。
そして、一対の羽根部材のうち、一方の羽根部材は、移動部材と接続される第１羽根を有し、当該一方の羽根部材と連動して、当該一方の羽根部材とは反対方向に移動される他方の羽根部材も、上記第１羽根及び上記第２羽根を有することにより、当該第１羽根の開放方向及び閉塞方向への移動に伴って第２羽根を同方向に確実に移動させることができる。従って、開口部の開閉を確実かつ円滑に行うことができる。
【００１３】
上記一態様では、それぞれの前記第１羽根は、互いに噛合する歯車部を有し、それぞれの前記第２羽根は、前記歯車部の回転軸と同軸で保持されることが好ましい。
上記一態様によれば、一対の羽根部材のそれぞれが有する第１羽根は、歯車部にて互いに噛合していることから、移動部材の移動に伴って一方の第１羽根が移動されると、他方の第１羽根を、当該第１羽根とは反対方向に確実に移動させることができる。従って、上記のように、各第１羽根の移動に伴い、各第２羽根を確実に移動させることができるので、移動部材の移動によって、開口部の開閉を確実に実施できる。
また、第１羽根及び第２羽根が同軸で保持されるので、第２羽根を第１羽根と同軸で回動させることができ、第１羽根及び第２羽根を円滑に移動させることができる。従って、開口部を確実に円滑に開放及び閉塞できる。
【００１４】
上記一態様では、前記投射レンズは、前記投射方向側から見て円の一端側が切り欠かれた形状を有し、前記一対の羽根部材のそれぞれにおける少なくとも一部は、前記投射レンズによる画像の投射方向側から見て前記一端側の位置に収納されて、前記開口部を開放することが好ましい。
上記一態様によれば、一対の羽根部材のそれぞれにおける少なくとも一部は、上記投射方向側から見て、投射レンズの形状における切欠側の位置に収納されるので、外装筐体において使用されないスペースに当該一対の羽根部材を配置できる。従って、外装筐体内のデッドスペースを活用して一対の羽根部材を収納できるので、外装筐体の小型化を促進でき、ひいては、プロジェクターの小型化を促進できる。
【図面の簡単な説明】
【００１５】
【図１】本発明の一実施形態に係るプロジェクターを正面部側から見た斜視図。
【図２】上記実施形態に係るプロジェクターの光学系を示す模式図。
【図３】上記実施形態に係るプロジェクターの断面を右側面部側から見た断面図。
【図４】上記実施形態に係る開口部が開放された状態のプロジェクターを正面部側から見た斜視図。
【図５】上記実施形態に係る開口部を閉塞する状態のレンズシャッターを正面部側から見た斜視図。
【図６】上記実施形態に係る開口部を閉塞する状態のレンズシャッターを背面部側から見た斜視図。
【図７】上記実施形態に係る開口部を開放する状態のレンズシャッターを正面部側から見た斜視図。
【図８】上記実施形態に係る開口部を開放する状態のレンズシャッターを背面部側から見た斜視図。
【図９】上記実施形態に係るレンズシャッターが収納領域に収納された状態のプロジェクターを正面部側から見た正面図。
【発明を実施するための形態】
【００１６】
以下、本発明の一実施形態について図面に基づいて説明する。
［プロジェクターの概略］
図１は、本実施形態に係るプロジェクター１を正面側から見た斜視図である。
本実施形態に係るプロジェクター１は、後述する光源装置４１から出射された光を変調して画像情報に応じた画像を形成し、当該画像をスクリーン等の被投射面上に拡大投射する短焦点型のプロジェクターである。このプロジェクター１は、図１に示すように外装筐体２、当該外装筐体２内に収納される装置本体３（図２参照）、及び、外装筐体２に取り付けられるレンズシャッター５を備える。
なお、このプロジェクター１は、所定の設置面に後述する底面部２Ｂを対向させて載置される正置き姿勢だけでなく、当該正置き姿勢とは上下が逆の逆置き姿勢でも使用できるように構成されている。
【００１７】
［外装筐体の構成］
外装筐体２は、全体略直方体形状を有し、本実施形態では合成樹脂により形成されている。この外装筐体２は、アッパーケース２１、ロアーケース２２、フロントケース２３及びリアケース２４が組み合わされて構成されている。
これらのうち、アッパーケース２１により、外装筐体２の天面部２Ａと、左右の両側面部２Ｅ及び２Ｆのそれぞれの一部とが構成される。また、ロアーケース２２により、外装筐体２の底面部２Ｂと、左右の両側面部２Ｅ及び２Ｆのそれぞれの一部とが構成される。
更に、フロントケース２３により、外装筐体２の正面部２Ｃが構成され、リアケース２４により、背面部２Ｄが構成される。
なお、以下の図及び説明において、Ｚ方向は、後述する投射光学装置４６から投射された光の進行方向（投射方向）を示し、Ｘ方向及びＹ方向は、当該Ｚ方向に直交し、かつ、互いに直交する方向を示す。これらのうち、Ｙ方向は、平面視でＺ方向が水平方向に沿うようにプロジェクター１が配置された場合に、鉛直方向とは反対方向である上方（すなわち、外装筐体２の底面部２Ｂから天面部２Ａに向かう方向）を示し、Ｘ方向は、Ｚ方向側（光の進行方向側）から見て左から右に向かう方向を示す。
【００１８】
［開口部の構成］
外装筐体２を構成するフロントケース２３は、図１に示すように、上記投射光学装置４６から投射される画像が通過する開口部２３１を有する。すなわち、開口部２３１は、投射光学装置４６の一部、すなわち、後述する投射レンズ４６１を露出させる。
このような開口部２３１は、図１に示すように、Ｙ方向側の寸法よりＹ方向とは反対方向側の寸法が小さく形成されている。すなわち、開口部２３１は、プロジェクター１が所定の設置面に設置された際の下部が上部より小さい形状に形成されている。具体的に、投射レンズ４６１は、Ｚ方向側から見たときに、円形状をＸ方向に沿う直線で切り欠いた略半円形状である。このレンズ４６１１から出射される光の出射範囲は、開口部２３１より若干小さい範囲である。換言すると、開口部２３１は、レンズ４６１から出射される光を遮らない形状に形成されている。
【００１９】
また、フロントケース２３の開口部２３１の天面部２Ａ側には、Ｘ方向に沿う直状の切欠き２３２が形成されている。この切欠き２３２からは、レンズシャッター５を構成するレバー５０の操作部５０２が配置されている。このレバー５０は、本発明の移動部材に相当し、当該レバー５０の操作部５０２をＸ方向（第１方向）及びＸ方向と反対方向（第２方向）に移動させることにより、レンズシャッター５を開放状態及び閉塞状態にできる。なお、このレンズシャッター５の構成については、後に詳述する。
【００２０】
更に、フロントケース２３の開口部２３１のＹ方向とは反対方向側の位置には、２つの収納領域２３３Ｒ，２３３Ｌが設けられている。これら収納領域２３３Ｒ，２３３Ｌについては、詳しくは後述するが、収納領域２３３Ｒは、レンズシャッター５を構成する一対の羽根部材のうち、右羽根部材５Ｒが収納される。また、収納領域２３３Ｌには、レンズシャッター５を構成する左羽根部材５Ｌが収納される。
【００２１】
［装置本体の構成］
図２は、外装筐体２内に設けられる装置本体３の構成を示す模式図である。
装置本体３は、図２に示すように、画像を形成及び投射する光学ユニット４を備える。
この他、装置本体３は、図示を省略するが、音声出力ユニット、プロジェクター１全体を制御する制御ユニット、プロジェクター１の構成部品に電力を供給する電源ユニット、及び、冷却対象を冷却する冷却ユニットを備える。
【００２２】
［光学ユニットの構成］
光学ユニット４は、不図示の制御ユニットによる制御の下、画像情報に応じた画像を形成及び投射する。この光学ユニット４は、光源装置４１、照明光学装置４２、色分離装置４３、リレー装置４４、電気光学装置４５及び投射光学装置４６と、これらを支持する光学部品用筐体４７と、を備える。
【００２３】
光源装置４１は、光源ランプ４１１及びリフレクター４１２を有し、照明光学装置４２に光束を出射する。
照明光学装置４２は、光源装置４１から出射された光束の中心軸に対する直交面内の照度を均一化する。この照明光学装置４２は、光源装置４１からの光の入射順に、第１レンズアレイ４２１、調光装置４２５、第２レンズアレイ４２２、偏光変換素子４２３及び重畳レンズ４２４を有する。
【００２４】
色分離装置４３は、照明光学装置４２から入射される光束を、赤（Ｒ）、緑（Ｇ）及び青（Ｂ）の３つの色光に分離する。この色分離装置４３は、ダイクロイックミラー４３１，４３２及び反射ミラー４３３を有する。
リレー装置４４は、分離された３つの色光のうち、他の色光に比べて光路が長い赤色光の光路上に設けられる。このリレー装置４４は、入射側レンズ４４１、リレーレンズ４４３及び反射ミラー４４２，４４４を有する。
【００２５】
電気光学装置４５は、分離された各色光を画像情報に応じてそれぞれ変調した後、変調された各色光を合成する。この電気光学装置４５は、色光ごとに設けられる３つのフィールドレンズ４５１、３つの入射側偏光板４５２、光変調装置としての３つの液晶パネル４５３（赤、緑及び青用の液晶パネルをそれぞれ４５３Ｒ，４５３Ｇ，４５３Ｂとする）及び３つの出射側偏光板４５４と、変調された各色光を合成する色合成光学装置としてのクロスダイクロイックプリズム４５５とを有する。
投射光学装置４６は、合成された色光（画像を形成する光束）を上記被投射面上に拡大投射する投射レンズ４６１と、鏡筒４６２と、を備えた組レンズとして構成されている。このような投射光学装置４６（詳しくは投射レンズ４６１）により投射される光は、フロントケース２３の開口部２３１（図３参照）から投射される。
【００２６】
図３は、プロジェクター１の投射光学装置４６の中心軸を含むＹＺ平面での断面を右側面部２Ｆ側から見た断面図である。なお、図３では、フロントケース２３及びレンズシャッター５は、図示していない。
投射レンズ４６１は、図３に示すように、投射方向側、すなわち、Ｚ方向側の端縁が投射方向側に膨出した形状を有する。すなわち、本実施形態のプロジェクター１は、短焦点型のプロジェクターであるため、投射レンズ４６１は、通常のプロジェクターに用いられる略円形のレンズに比べて曲率半径が小さく、投射レンズ４６１自体が大きい。また、この投射レンズ４６１は、Ｚ方向側から見たときに、円の一端側をＸ方向に沿う直線で切り欠かれた略半円形状に構成される。
また、投射レンズ４６１のＹ方向とは反対方向側には、空間が設けられている。すなわち、この投射レンズ４６１のＹ方向とは反対方向側の空間は、レンズシャッター５が収納される収納領域２３３となる。なお、収納領域２３３については、後に詳述する。
【００２７】
図２に戻って、光学部品用筐体４７は、詳しい図示を省略するが、各種光学部品を収納する溝部が形成された部品収納部材と、当該部品収納部材に形成された部品収納用の開口部を閉塞する蓋状部材と、投射光学装置４６を支持する支持部材と、を備える。
この光学部品用筐体４７には、照明光軸Ａｘが設定されており、上記各装置４１〜４６は、当該照明光軸Ａｘに対する所定位置に配置される。このため、光源装置４１が光学部品用筐体４７に配置された際には、当該光源装置４１から出射される光の中心軸は、照明光軸Ａｘと一致する。
【００２８】
［レンズシャッターの構成］
図４は、開口部が閉塞された状態のプロジェクター１を正面部２Ｃ側から見た斜視図である。
外装筐体２を構成するフロントケース２３には、図４に示すように、レンズシャッター５が取り付けられている。レンズシャッター５は、開口部２３１を閉塞する位置で維持されると、開口部２３１の全領域が閉塞される。すなわち、レンズシャッター５は、開口部２３１を閉塞することにより投射レンズ４６１を保護する機能を有する。
【００２９】
図５は、開口部２３１を閉塞した状態のレンズシャッター５を正面部２Ｃ側から見た斜視図であり、図６は、開口部２３１を閉塞した状態のレンズシャッター５を背面部２Ｄ側から見た斜視図である。
レンズシャッター５は、本発明のシャッターに相当し、上記開口部２３１を開閉する機能を有する。開口部２３１を閉塞した状態のレンズシャッター５は、図４〜図６に示すように、上記開口部２３１の開口面の形状に合わせた形状に形成され、Ｙ方向とは反対方向側の寸法がＹ方向側の寸法より小さく形成されている。すなわち、開口部２３１を閉塞する状態のレンズシャッター５は、フロントケース２３の開口部２３１と略同形状に形成され、かつ、開口部２３１より若干大きな寸法で形成されている。
【００３０】
レンズシャッター５は、図５及び図６に示すように、左羽根部材５Ｌ、右羽根部材５Ｒ及びレバー５０を有する。この左羽根部材５Ｌ及び右羽根部材５Ｒは、本発明の一対の羽根部材に相当し、例えば、合成樹脂により形成されている。この左羽根部材５Ｌは、複数の羽根に相当する第１羽根５１及び第２羽根５２を有する。また、右羽根部材５Ｒは、複数の羽根に相当する第１羽根５３及び第２羽根５４を有する。これら各第２羽根５２，５４は、各第１羽根５１，５３よりも投射レンズ４６１側に設けられ、少なくとも一部が重なるように配置されている。
また、各第１羽根５１，５３は、略三角形状で、かつ、上記投射レンズ４６１の膨出部分に沿った形状に形成される。更に、各第２羽根５２，５４は、台形の底面を三角形状に切り欠いた形状で、かつ、上記投射レンズ４６１の膨出部分に沿った形状に形成される。
なお、レンズシャッター５が開口部２３１を閉塞する状態では、第１羽根５１及び第１羽根５３は、図５及び図６に示すように、それぞれが当接した状態で維持される。
【００３１】
この第１羽根５１は、歯車部５１１、板状部５１２、第２当接部５１３及び第１当接部５１４を備える。また、第１羽根５３は、歯車部５３１、板状部５３２、第２当接部５３３及び第１当接部５３４を備える。
歯車部５１１及び歯車部５３１は、第１羽根５１及び第１羽根５３のＹ方向とは反対方向側の端部に設けられ、互いに噛合している。このような各歯車部５１１，５３１には、後述する保持部５２１，５４１が接続される。
【００３２】
第１羽根５１の板状部５１２は、第１羽根５１のＹ方向側の端部から当該第１羽根５１の裏面５１ＢからＺ方向とは反対方向に突出する板状に形成されている。この板状部５１２のＹ方向とは反対方向側の面には、第２当接部５１３が接続されている。
一方、第１羽根５３の板状部５３２は、第１羽根５３のＹ方向側の端部から当該第１羽根５３の裏面５３ＢからＺ方向とは反対方向に突出する板状に形成されている。この板状部５３２のＹ方向とは反対方向側の面には、第２当接部５３３が接続されている。また、板状部５３２は、上記板状部５１２よりＹ方向と反対方向側から見た面積が大きく形成されており、当該板状部５３２には、切欠き５３２１が形成されている。この切欠き５３２１は、板状部５３２のＺ方向とは反対方向側の端部の略中央部分に形成され、当該切欠き５３２１には、後述するレバー５０の接続部５０３が接続される。すなわち、右羽根部材５Ｒの第１羽根５３には、レバー５０が接続されている。
【００３３】
なお、詳しくは後述するが、レバー５０を投射レンズ４６１の円弧（外周）に沿う第１方向に移動させると、各羽根部材５Ｌ，５Ｒは、開口部２３１を閉塞する。一方、レバー５０を上記第１方向と反対方向である第２方向に移動させると、各羽根部材５Ｌ，５Ｒは、開口部２３１を開放する。このため、以下の説明では、上記第１方向を閉塞方向Ｓ１とし、上記第２方向を開放方向Ｓ２とする。また、レバー５０を閉塞方向Ｓ１に移動させると、左羽根部材５Ｌは、閉塞方向Ｓ１と反対方向である閉塞方向Ｓ１１に移動し、右羽根部材５Ｒは、閉塞方向Ｓ１と同方向の閉塞方向Ｓ１２に移動する。一方、レバー５０を開放方向Ｓ２に移動させると、左羽根部材５Ｌは、開放方向Ｓ２と反対方向である開放方向Ｓ２１に移動し、右羽根部材５Ｒは、開放方向Ｓ２と同方向の開放方向Ｓ２２に移動する。このため、以下の説明では、上記閉塞方向Ｓ１，Ｓ１１,Ｓ１２及び開放方向Ｓ２，Ｓ２１，Ｓ２２を用いて、説明する。
【００３４】
上記各第２当接部５１３，５３３は、図６に示すように、上記板状部５１２，５３２のＹ方向とは反対方向側の面から、当該方向に向けて突出する形状である。これら当接部５１３，５３３は、開口部２３１を閉塞する閉塞方向Ｓ１（Ｓ１１，Ｓ１２）に各第１羽根５１，５３が移動された際に、後述する各第２羽根５２，５４の係合部５２２１，５４２１に係合する部位である（図７及び図８参照）。
各第１当接部５１４，５３４は、図６に示すように、第１羽根５１及び第１羽根５３の裏面５１Ｂ，５３ＢのＹ方向とは反対方向側の位置に配置される。各第１当接部５１４，５３４は、矩形板状の部材であり、長手方向がＹ方向に沿う方向に裏面５１Ｂ，５３Ｂに配置され、かつ、それぞれが対向するように配置される。これら第１当接部５１４，５３４は、開口部２３１を開放する開放方向Ｓ２（Ｓ２１，Ｓ２２）に各第１羽根５１，５３が移動された際に、後述する各第２羽根５２，５４に当接する部位である。
【００３５】
第２羽根５２及び第２羽根５４は、保持部５２１，５４１、枠部５２２，５４２を有する。
保持部５２１，５４１は、各第２羽根５２，５４のＹ方向とは反対方向側の端部に設けられ、上記歯車部５１１，５３１と当該歯車部５１１，５３１の回転軸と同軸で保持される部位である。これにより、各第１羽根５１，５３及び各第２羽根５２，５４は、それぞれ上記軸を中心に閉塞方向Ｓ１１，Ｓ１２及び開放方向Ｓ２１，Ｓ２２に移動する。
枠部５２２，５４２は、各第２羽根５２，５４の裏面５２Ｂ，５４ＢにおけるＹ方向側の上端部の全域から投射レンズ４６１側に突出する形状である。この枠部５２２，５４２の閉塞方向Ｓ１１，Ｓ１２側の端部には、当該枠部５２２，５４２のＺ方向とは反対方向側に突出する係合部５２２１，５４２１が形成されている。この係合部５２２１，５４２１は、レバー５０を閉塞方向Ｓ１に移動させた際に、上記第２当接部５１３，５３３と当接する部位である。
また、各第２羽根５２，５４の当接面５２３，５４３には、上記第１当接部５１４，５３４がそれぞれ当接する。
【００３６】
レバー５０は、本発明の移動部材に相当し、上記右羽根部材５Ｒの第１羽根５３に接続される。このレバー５０は、本体部５０１、操作部５０２及び接続部５０３を有する。
本体部５０１は、投射レンズ４６１の円弧（外周）に沿う形状に形成されている。本体部５０１は、操作部５０２の操作により、投射レンズ４６１の円弧（外周）に沿う方向に移動する。
操作部５０２は、本体部５０１の上面５０ＡにおけるＸ方向とは反対方向側の位置に配置されている。この操作部５０２は、上面５０Ａから離れる方向に突出する矩形板状に構成され、図１及び図４に示すように、フロントケース２３の切欠き２３２から突出している。
接続部５０３は、本体部５０１の下面５０ＢにおけるＸ方向側の位置に配置されている。この接続部５０３は、下面５０Ｂから離れる方向に突出する矩形板状に構成され、上記第１羽根５３の板状部５３２の切欠き５３２１に接続される。これにより、操作部５０２を上記切欠き２３２に沿って閉塞方向Ｓ１及び開放方向Ｓ２に移動させることにより、右羽根部材５Ｒの第１羽根５３が閉塞方向Ｓ１２及び開放方向Ｓ２２に移動する。
【００３７】
図７は、開口部２３１を開放した状態のレンズシャッター５を正面部２Ｃ側から見た図であり、図８は、開口部２３１を開放した状態のレンズシャッター５を背面部２Ｄ側から見た図である。
開口部２３１を閉塞した状態のレンズシャッター５において、操作部５０２を開放方向Ｓ２に移動させると、レンズシャッター５は、図７及び図８に示す状態となる。すなわち、レンズシャッター５が開口部２３１を開放する状態となった場合、各羽根部材５Ｌ，５Ｒの第１羽根５１，５３及び第２羽根５２，５４は、Ｚ方向から見てそれぞれ重なった状態となる。
【００３８】
図９は、レンズシャッター５が収納領域２３３Ｒ，２３３Ｌに収納された状態のプロジェクター１を正面部２Ｃ側から見た平面図である。
フロントケース２３における開口部２３１のＹ方向と反対側、すなわち、投射レンズ４６１をＺ方向側から見て、円の一端側が切り欠かれた側の位置の両側には、収納領域２３３Ｒ，２３３Ｌが設けられている。この収納領域２３３Ｌ，２３３Ｒには、図９に示すように、各羽根部材５Ｌ，５Ｒの第１羽根５１，５３及び第２羽根５２，５４がそれぞれ重なった状態で収納される。また、開口部２３１を開放している状態の第１羽根５１，５３及び第２羽根５２，５４の重なり範囲（図５及び図６参照）は、開口部２３１を閉塞している状態の第１羽根５１，５３及び第２羽根５２，５４の重なり範囲（図７及び図８参照）より大きい。すなわち、レンズシャッター５は、上記収納領域２３３Ｌ，２３３Ｒに収納される際には、開口部２３１を閉塞している状態より小さくなる。これにより、外装筐体２（フロントケース２３）における収納領域２３３Ｌ，２３３Ｒを小さくできる。
【００３９】
［レンズシャッターの開放方法］
具体的に、操作者は、図４、図５及び図６に示す状態のレンズシャッター５の操作部５０２を保持する。そして、操作者が当該操作部５０２を保持した状態で、当該操作部５０２を開放方向Ｓ２に移動させると、右羽根部材５Ｒの第１羽根５３が開放方向Ｓ２２に移動する。この第１羽根５３が開放方向Ｓ２２に移動すると、歯車部５３１が開放方向Ｓ２２に回動する。これに伴って、左羽根部材５Ｌの第１羽根５１の歯車部５１１が当該開放方向Ｓ２２と反対方向に回動するため、当該第１羽根５１が開放方向Ｓ２１に移動する。このようにして、各第１羽根５１，５３が開放方向Ｓ２１，Ｓ２２に移動すると、当該第１羽根５１，５３の第１当接部５１４，５３４が各第２羽根５２，５４の当接面５２３，５４３に当接する。この状態で、更に操作部５０２を開放方向Ｓ２に移動させると、第１当接部５１４，５３４に当接した各第２羽根５２，５４が各第１羽根５１，５３ともに開放方向Ｓ２１，Ｓ２２に移動し、図７〜図９に示す状態となる。すなわち、レバー５０の操作部５０２を開放方向Ｓ１に移動させることにより、左羽根部材５Ｌ及び右羽根部材５Ｒのそれぞれは、反対方向（開放方向Ｓ２１，Ｓ２２）に移動し、開口部２３１が開放される。
【００４０】
［レンズシャッターの閉塞方法］
また、操作者は、図１、及び図７〜図９に示す状態のレンズシャッター５の操作部５０２を保持した状態で、当該操作部５０２を閉塞方向Ｓ１に移動させると、右羽根部材５Ｒの第１羽根５３が閉塞方向に移動する。この第１羽根５３が閉塞方向Ｓ１２に移動すると、歯車部５３１が閉塞方向Ｓ１２に回動する。これに伴って、左羽根部材５Ｌの第１羽根５１の歯車部５１１が当該閉塞方向Ｓ１２と反対方向に回動するため、当該第１羽根５１が閉塞方向Ｓ１１に移動する。このようにして、各第１羽根５１，５３が閉塞方向Ｓ１１，Ｓ１２に移動すると、当該第１羽根５１，５３の第２当接部５１３，５３３が第２羽根５２，５４の係合部５２２１，５４２１に係合する。そして、この状態で更に操作部５０２を閉塞方向Ｓ１に移動させると、第１当接部５１４，５３４に当接した各第２羽根５２，５４が各第１羽根５１，５３ともに閉塞方向Ｓ１１，Ｓ１２に移動し、図４、図５及び図６に示す状態となる。すなわち、レバー５０の操作部５０２を閉塞方向Ｓ２に移動させることにより、左羽根部材５Ｌ及び右羽根部材５Ｒのそれぞれは、反対方向（閉塞方向Ｓ１１，Ｓ１２）に移動し、開口部２３１が開放される。
【００４１】
［実施形態の効果］
上記一実施形態に係るプロジェクター１によれば、以下の効果を奏する。
本実施形態によれば、開放方向Ｓ２にレバー５０が移動されると、右羽根部材５Ｒはレバー５０と同方向（開放方向Ｓ２２）に移動され、左羽根部材５Ｌは右羽根部材５Ｒの移動方向とは反対方向（開放方向Ｓ２１）に移動される。これにより、開口部２３１が開放される。また、閉塞方向Ｓ１にレバー５０が移動されると、右羽根部材５Ｒは当該レバー５０と同方向（閉塞方向Ｓ１２）に移動され、左羽根部材５Ｌが右羽根部材５Ｒの移動方向とは反対方向（閉塞方向Ｓ１１）に移動される。このように開口部２３１が開放される際に、各羽根部材５Ｌ，５Ｒのそれぞれは、互いに反対方向に移動されて、開口部２３１の外側の収納領域２３３Ｒ，２３３Ｌに収納されるので、各羽根部材５Ｌ，５Ｒが収納されるスペースを分散できる。
これによれば、各羽根部材５Ｌ，５Ｒが収納されるスペースを、上記特許文献１に記載のシャッターが収納されるスペースより小さくすることができる他、外装筐体２において当該スペースを比較的容易に確保できる。
また、各羽根部材５Ｌ，５Ｒが互いに反対方向に移動することにより、１つのシャッターが開口部２３１を開閉する場合の移動距離に比べて、各羽根部材５Ｌ，５Ｒの移動距離、ひいては、レバー５０の移動距離（ストローク）を短縮できる。
従って、各羽根部材５Ｌ，５Ｒの収納スペースを小さくすることができる他、各羽根部材５Ｌ，５Ｒ及びレバー５０の移動スペースを小さくすることができるので、外装筐体２を小型化でき、ひいては、プロジェクター１を小型化できる。
【００４２】
各羽根部材５Ｌ，５Ｒが投射レンズ４６１の膨出部分に沿う形状（例えば円弧状）に形成され、これら羽根部材５Ｌ，５Ｒは、投射レンズ４６１の円弧（外周）方向に沿って移動する。これによれば、上記板状のシャッターが用いられる場合に比べて、投射レンズ４６１における投射方向側（Ｚ方向側）の面と各羽根部材５Ｌ，５Ｒとの距離を短縮できる。従って、これら投射レンズ４６１及びレンズシャッター５を収納する外装筐体２（特に投射レンズ４６１近傍の外装筐体２）を小さくできる。
【００４３】
各羽根部材５Ｌ，５Ｒのそれぞれを構成する第１羽根５１，５３及び第２羽根５２，５４は、開口部２３１を開放する際に、当該開口部２３１を閉塞する場合に互いに重なる範囲より大きな範囲にて重なって収納されることとなる。これによれば、外装筐体２において第１羽根５１，５３及び第２羽根５２，５４が収納されるスペースを小さくできる。従って、プロジェクター１を小型化できる。
【００４４】
開口部２３１を開放する開放方向Ｓ２にレバー５０が移動されると、当該レバー５０と接続される第１羽根５３の第１当接部５３４が第２羽根５４の当接面５４３に当接して、当該第１羽根５３の移動方向に第２羽根５４を移動させるので、第１羽根５３の開放方向Ｓ２２への移動に伴って第２羽根５４を同方向に確実に移動させることができる。
また、開口部２３１を閉塞する閉塞方向Ｓ１にレバー５０が移動されると、当該レバー５０と接続される第１羽根５３の第２当接部５３３が第２羽根５４に当接して、当該第１羽根５３の移動方向に第２羽根５４を移動させるので、第１羽根５３の閉塞方向への移動に伴って第２羽根５４を同方向に確実に移動させることができる。
そして、右羽根部材５Ｒは、レバー５０と接続される第１羽根５３を有し、当該右羽根部材５Ｒと連動して、当該右羽根部材５Ｒとは反対方向に移動される左羽根部材５Ｌも、上記第１羽根５１及び上記第２羽根５２を有することにより、当該第１羽根５１の開放方向Ｓ２１及び閉塞方向Ｓ１１への移動に伴って第２羽根５２を同方向に確実に移動させることができる。従って、開口部２３１の開閉を確実かつ円滑に行うことができる。
【００４５】
各羽根部材５Ｌ，５Ｒのそれぞれが有する第１羽根５１，５３は、歯車部５１１，５３１にて互いに噛合していることから、レバー５０の移動に伴って第１羽根５３が移動されると、第１羽根５１を、当該第１羽根５３とは反対方向に確実に移動させることができる。従って、上記のように、各第１羽根５１，５３の移動に伴い、各第２羽根５２，５４を確実に移動させることができるので、レバー５０の移動によって、開口部２３１の開閉を確実に実施できる。
また、第１羽根５１，５３及び第２羽根５２，５４が同軸で保持されるので、第２羽根５２，５４を第１羽根５１，５３と同軸で回動させることができ、第１羽根５１，５３及び第２羽根５２，５４を円滑に移動させることができる。従って、開口部２３１を確実に円滑に開放及び閉塞できる。
【００４６】
各羽根部材５Ｌ，５Ｒのそれぞれにおける少なくとも一部は、Ｚ方向側から見て、投射レンズ４６１の形状における切欠側の位置に収納されるので、外装筐体２において使用されないスペースに各羽根部材５Ｌ，５Ｒを配置できる。従って、外装筐体２内のデッドスペースを活用して各羽根部材５Ｌ，５Ｒを収納できるので、外装筐体２の小型化を促進でき、ひいては、プロジェクター１の小型化を促進できる。
［実施形態の変形］
【００４７】
本発明は、上記一実施形態に限定されるものではなく、本発明の目的を達成できる範囲での変形、改良等は本発明に含まれるものである。
上記実施形態では、各羽根部材５Ｌ，５Ｒは、少なくとも一部が重なって配置される第１羽根５１，５３及び第２羽根５２，５４を備えることとした。しかしながら、本発明は、これに限らない。例えば、各羽根部材５Ｌ，５Ｒは、それぞれ１枚の羽根により構成されるようにしてもよい。
【００４８】
上記実施形態では、各羽根部材５Ｌ，５Ｒの第１羽根５１，５３及び第２羽根５２，５４は、投射レンズ４６１の膨出部分における画像が投射される方向（Ｚ方向）側の面に沿った形状であることとした。しかしながら、本発明は、これに限らない。例えば、第１羽根５１，５３及び第２羽根５２，５４は、板状であってもよい。これによれば、第１羽根５１，５３及び第２羽根５２，５４が板状であっても、収納領域２３３Ｒ，２３３Ｌに収納される状態の第１羽根５１，５３及び第２羽根５２，５４の表面積が、開口部２３１を閉塞する状態の当該第１羽根５１，５３及び第２羽根５２，５４の表面積より小さくなるので、外装筐体２の収納スペースを小さくできる。
更に、各羽根部材５Ｌ，５Ｒは、第１羽根５１，５３及び第２羽根５２，５４に加えて、第３羽根を備えてもよい。すなわち、各羽根部材５Ｌ，５Ｒは、２以上の羽根を備えていればよい。
【００４９】
上記実施形態では、右羽根部材５Ｒの第１羽根５３にレバー５０が接続されることとした。しかしながら、本発明は、これに限らない。例えば、レバー５０は、左羽根部材５Ｌの第１羽根５１に接続されることとしてもよい。
上記実施形態では、各第１羽根５１，５３は、互いに噛合する歯車部５１１，５３１を備えることとした。しかしながら、本発明は、これに限らない。例えば、歯車部５１１，５３１は、互いに螺合することなく、当該歯車部５１１と歯車部５３１との間に歯車部を設けることとしてもよい。
更に、各第２羽根５２，５４の保持部５２１，５４１が歯車部５１１，５３１と同軸で保持されることとした。しかしながら、本発明は、これに限らない。例えば、上記保持部５２１，５４１は、歯車部５１１，５３１と同軸で保持されなくてもよい。
【００５０】
上記実施形態では、各第１羽根５１，５３は、第１当接部５１４，５３４及び第２当接部５１３，５３３を備えることとした。しかしながら、本発明は、これに限らない。例えば、各第１羽根５１，５３は、第１当接部５１４，５３４及び第２当接部５１３，５３３を備えなくてもよい。この場合、各第２羽根５２，５４が保持部５２１，５４１に代えて、上記歯車部５１１，５３１と同形状の歯車部を備え、レバー５０が第２羽根５２，５４のいずれかと接続されるようにすればよい。これによれば、レバー５０の閉塞方向Ｓ１及び開放方向Ｓ２の移動に伴って、各羽根部材５Ｌ，５Ｒのそれぞれを閉塞方向Ｓ１１，Ｓ１２及び開放方向Ｓ２１，Ｓ２２に移動させることができる。
【００５１】
上記実施形態では、各第１羽根５１，５３が各第２羽根５２，５４より投射レンズ４６１側に配置されることとした。しかしながら、本発明は、これに限らない。例えば、第２羽根５２，５４が第１羽根５１，５３より投射レンズ４６１側に配置されていてもよい。この場合、第２羽根５２，５４に当接する第１当接部５１４，５３４を第１羽根５１，５３の表面５１Ａ，５３Ａに設ければよい。
【００５２】
上記実施形態では、開口部２３１を開放した状態及び閉塞した状態でレンズシャッター５を固定するロック機構を設けていなかった。しかしながら、本発明は、これに限らない。例えば、レバー５０の操作部５０２を固定するロック機構をフロントケース２３の切欠き２３２近傍に設けることとしてもよい。これによれば、開口部２３１を開放した状態及び閉塞した状態でレンズシャッター５を確実に固定できるので、例えば、プロジェクター１を天吊り状態で使用した状態であっても、開口部２３１を開放した状態及び閉塞した状態を確実に維持できる。
【００５３】
上記実施形態では、開口部２３１を開放及び閉塞する際に、レバー５０を閉塞方向Ｓ１及び開放方向Ｓ２に移動させる際に、当該レバー５０をガイドするガイド部材（例えば、ガイド溝等）を設けないこととした。しかしながら、本発明は、これに限らない。例えば、レバー５０をガイドするガイド部材を別途設けることとしてもよい。これによれば、より安定した状態でレバー５０を操作できるので、各羽根部材５Ｌ，５Ｒを確実に移動させることができる。
【００５４】
上記実施形態では、収納領域２３３Ｒ，２３３Ｌをフロントケース２３における開口部２３１のＹ方向とは反対方向側、すなわち、投射レンズ４６１をＺ方向側から見て、円の一端側を切り欠いた側の領域に設けることとした。しかしながら、本発明は、これに限らない。例えば、収納領域を開口部２３１のＹ方向側に設けるようにしてもよい。
【００５５】
上記実施形態では、短焦点型のプロジェクター１を例にとって説明した。また、各第１羽根５１，５３及び第２羽根５２，５４は、投射レンズ４６１の膨出部分の形状に沿う形状であることとした。しかしながら、本発明は、これに限らない。例えば、レンズシャッター５は、当該投射レンズ４６１と異なる形状のレンズを備えるプロジェクターにも適用できる。すなわち、各第１羽根５１，５３及び第２羽根５２，５４の形状を上記異なる形状のレンズに沿う形状に形成すれば、どのような用途のプロジェクターであっても適用できる。
【００５６】
上記各実施形態では、光学ユニット４は背面部２Ｄ及び右側面部２Ｆのそれぞれに沿う略Ｌ字状に構成されていたが、本発明はこれに限らない。例えば、略Ｕ字状に構成された光学ユニットを採用してもよい。
上記各実施形態では、光束入射面と光束射出面とが異なる透過型の液晶パネル４５３を用いていたが、光入射面と光射出面とが同一となる反射型の液晶パネルを用いてもよい。
【００５７】
上記各実施形態では、プロジェクター１は、３つの液晶パネル４５３Ｒ，４５３Ｇ，４５３Ｂを備えるとしたが、本発明はこれに限らない。すなわち、２つ以下、あるいは、４つ以上の液晶パネル４５３を用いたプロジェクターにも、本発明を適用可能である。
上記各実施形態では、光入射面と光出射面とが異なる透過型の液晶パネル４５３を用いていたが、光入射面と光出射面とが同一となる反射型の液晶パネルを用いてもよい。また、入射光束を変調して画像情報に応じた画像を形成可能な光変調装置であれば、マイクロミラーを用いたデバイス、例えば、ＤＭＤ（Digital Micromirror Device）等を利用したものなど、液晶以外の光変調装置を用いてもよい。
【００５８】
上記実施形態では、光源装置４１は、光源ランプ４１１と、光源ランプ４１１から出射された光を反射させるリフレクター４１２とを有する構成とした。しかしながら、本発明はこれに限らない。例えば、光源ランプの数は２つでもよく、３つ以上でもよい。また、光源装置４１は、光源ランプ４１１を有する構成に限らず、ＬＥＤ（Light Emitting Diode）やＬＤ（Laser Diode）等の固体光源を有する構成としてもよい。
【符号の説明】
【００５９】
１…プロジェクター、２…外装筐体、２３１…開口部、２３２…切欠き、２３３…収納領域、４６１…投射レンズ、５…レンズシャッター（シャッター）、５０…レバー、５１，５３…第１羽根、５１１，５３１…歯車部、５１３，５３３…第２当接部、５１４，５３４…第１当接部、５２，５４…第２羽根、５２１，５４１…保持部、５２３，５４３…当接面、５Ｌ…左羽根部材（一対の羽根部材）、５Ｒ…右羽根部材（一対の羽根部材）、Ｓ１，Ｓ１１，Ｓ１２…閉塞方向、Ｓ２，Ｓ２１，Ｓ２２…開放方向。
【図１】
2016133754.tif 000003
【図２】
2016133754.tif 000004
【図３】
2016133754.tif 000005
【図４】
2016133754.tif 000006
【図５】
2016133754.tif 000007
【図６】
2016133754.tif 000008
【図７】
2016133754.tif 000009
【図８】
2016133754.tif 000010
【図９】
2016133754.tif 000011